(57)【要約】【課題】ユーザの視聴を中断する複数のイベントがある場合はユーザがイベントを選択することにより、ユーザの所望する箇所からのデータを再生することができる情報再生システムを提供する。【解決手段】情報再生システムは、放送受信装置３と情報再生装置１とを備える。放送受信装置３は、映像や音声などの圧縮ストリーム３１を受信し、情報再生装置１のストリーム制御部１４に送信する。情報再生装置１は、ユーザの視聴を妨げる要因となる外部のイベントを一つ以上検知するイベント情報検知部１１と、動作制御部１２から受信したイベント発生情報をイベント発生位置記憶装置２２に保存するストリーム制御部１４と、イベント発生情報を並び替えたイベントインデックス情報を出力装置１６に表示するインデックス情報制御部１７と、選択されたイベントを通知するイベント選択部１８とを備える。【選択図】　　　図１
2004112311.tif 000002
【特許請求の範囲】
【請求項１】
圧縮ストリームを受信し、再生する装置において、
視聴を妨げるイベントを検知するイベント情報検知部と、
該イベント情報検知部を受信する動作制御部と、
該動作制御部から受信した前記イベント発生情報をイベント発生位置記憶装置に保存し、前記圧縮ストリームを圧縮ストリーム蓄積装置に蓄積するストリーム制御部と、
該ストリーム制御部から受信した前記圧縮ストリームを視聴データへデコードするデコーダと、
該デコーダから受信した前記視聴データを再生する出力装置
とを備えることを特徴とする情報再生装置。
【請求項２】
前記動作制御部は、
前記デコーダ及び前記出力装置への電力供給を制御する電力供給制御部と、
前記ストリーム制御部へ前記イベント発生情報を送信する検知結果通知部
とを備えることを特徴とする請求項１に記載の情報再生装置。
【請求項３】
前記イベントの発生時刻順又は前記イベントの種類毎に、前記イベント発生情報を並び替えたイベントインデックス情報を前記出力装置に表示するインデックス情報制御部と、
選択されたイベントを前記インデックス情報制御部へ通知するイベント選択部
とを更に備えることを特徴とする請求項１又は２に記載の情報再生装置。
【請求項４】
圧縮ストリームを受信する放送受信装置と、
該放送受信装置から前記圧縮ストリームを受信するストリーム制御部、視聴を妨げるイベントを検知するイベント情報検知部、該イベント情報検知部から受信したイベント発生情報に基づき、前記ストリーム制御部を制御する動作制御部、前記イベントの発生時刻順又は前記イベントの種類毎に、前記イベント発生情報を並び替えたイベントインデックス情報を出力装置に表示するインデックス情報制御部、選択されたイベントを前記インデックス情報制御部へ通知するイベント選択部とを有する情報再生装置
とを備えることを特徴とする情報再生システム。
【請求項５】
放送受信装置から受信した圧縮ストリームを再生する装置において、
デコーダ及び出力装置に電力を供給するステップと、
圧縮ストリーム蓄積装置に蓄積された前記圧縮ストリームのうち、最も古い圧縮ストリームから順に取り出し、前記デコーダに送出するステップと、
前記デコーダによりデコードされた視聴データを再生するステップと、
イベントが発生した場合は、該イベントのイベント発生情報をイベント発生位置記憶装置へ保存するステップ
とを含むことを特徴とする情報再生方法。
【請求項６】
イベントが発生した場合は、前記デコーダ及び前記出力装置への電力供給を停止し、再生を停止するステップを更に含むことを特徴とする請求項５に記載の情報再生方法。
【請求項７】
イベント発生の時刻順又はイベントの種類毎に、前記イベント発生情報を並び替えたイベントインデックス情報を出力装置に表示するステップと、
選択された前記イベントの発生時刻情報をイベント発生位置記憶装置から取得するステップと、
前記イベント発生時刻情報に基づく圧縮ストリームを圧縮ストリーム蓄積装置から抽出するステップと、
前記圧縮ストリームを視聴データへデコードするステップと、
前記視聴データを再生するステップ
とを更に含むことを特徴とする請求項５又は６に記載の情報再生方法。
【請求項８】
放送受信装置から受信した圧縮ストリームを再生する装置に、
デコーダ及び出力装置に電力を供給する手順と、
圧縮ストリーム蓄積装置に蓄積された前記圧縮ストリームのうち、最も古い圧縮ストリームから順に取り出し、前記デコーダに送出する手順と、
前記デコーダによりデコードされた視聴データを再生する手順と、
イベントが発生した場合は、該イベントのイベント発生情報をイベント発生位置記憶装置へ保存する手順
とを実行させるための情報再生プログラム。
【発明の詳細な説明】
【０００１】
【発明の属する技術分野】
本発明は、映像・音声等の視聴データの情報再生装置、情報再生システム、情報再生方法及び情報再生プログラムに関する。
【０００２】
【従来の技術】
従来、放送番組等の映像・音声は常にリアルタイムで視聴することが要求され、ユーザの視聴を妨げる要因となるイベント（例えば、車両の運転における走行操作、家庭内での電話応対、もしくは来客応対など）の発生時には、その間の番組情報を損ない、次に再生を開始したときには、そのときに放送されている番組内容からの視聴となる。
【０００３】
イベント発生時に放送番組を操作する従来の情報再生装置としては、車両の運転において、走行中表示規制データでも車両が停止中には放送局が提供する番組をそのまま表示するものがある（例えば、特許文献１参照。）。又、映像・音声等の視聴データを記憶装置などに蓄積しておき、番組の時間的な部分を指定して、指定された時間軸上の部分を正確に再生する情報再生装置もある（例えば、特許文献２参照。）。
【０００４】
【特許文献１】
特開２０００−３５７２９１号公報（第２−３頁、第１図）
【特許文献２】
特開２００１−９４９４５号公報（第４−６頁、第１図、第４図）
【０００５】
【発明が解決しようとする課題】
しかし、ユーザの視聴を中断するイベントは複数発生することが考えられる。この場合、視聴を中断した複数のイベントから所望のイベントを選択して、そのイベントの発生した箇所からデータを再生させることはできなかった。
【０００６】
上記の問題を鑑み、本発明は、ユーザの視聴を中断するイベントが発生した箇所から引き続き映像・音声等のデータを再生することができるだけでなく、複数のイベントがある場合はユーザがイベントを選択することにより、ユーザの所望する箇所からのデータを再生することができる情報再生装置、情報再生システム、情報再生方法及び情報再生プログラムを提供することを目的とする。
【０００７】
【課題を解決するための手段】
上記目的を達成するため、本発明の第１の特徴は、圧縮ストリームを受信し、再生する装置において、（イ）視聴を妨げるイベントを検知するイベント情報検知部と、（ロ）イベント情報検知部を受信する動作制御部と、（ハ）動作制御部から受信したイベント発生情報をイベント発生位置記憶装置に保存し、圧縮ストリームを圧縮ストリーム蓄積装置に蓄積するストリーム制御部と、（ニ）ストリーム制御部から受信した圧縮ストリームを視聴データへデコードするデコーダと、（ホ）デコーダから受信した視聴データを再生する出力装置とを備える情報再生装置であることを要旨とする。
【０００８】
第１の特徴に係る情報再生装置によると、ユーザの視聴を妨げる要因が発生した場合に視聴が中断されても、中断されている間の映像・音声情報を損なうことなく、再びユーザが視聴可能状態となった場合に、ユーザが選択した中断位置からの映像・音声情報を視聴することができる。
【０００９】
本発明の第２の特徴は、（イ）圧縮ストリームを受信する放送受信装置と、（ロ）放送受信装置から圧縮ストリームを受信するストリーム制御部、視聴を妨げるイベントを検知するイベント情報検知部、イベント情報検知部から受信したイベント発生情報に基づき、ストリーム制御部を制御する動作制御部、イベントの発生時刻順又はイベントの種類毎に、イベント発生情報を並び替えたイベントインデックス情報を出力装置に表示するインデックス情報制御部、選択されたイベントをインデックス情報制御部へ通知するイベント選択部とを有する情報再生装置であることを要旨とする。
【００１０】
第２の特徴に係る情報再生システムによると、ユーザの視聴を妨げる要因が発生した場合に視聴が中断されても、中断されている間の映像・音声情報を損なうことなく、再びユーザが視聴可能状態となった場合に、ユーザが選択した中断位置からの映像・音声情報を視聴することができる。
【００１１】
本発明の第３の特徴は、放送受信装置から受信した圧縮ストリームを再生する装置において、（イ）デコーダ及び出力装置に電力を供給するステップと、（ロ）圧縮ストリーム蓄積装置に蓄積された圧縮ストリームのうち、最も古い圧縮ストリームから順に取り出し、デコーダに送出するステップと、（ハ）デコーダによりデコードされた視聴データを再生するステップと、（ニ）イベントが発生した場合は、イベントのイベント発生情報をイベント発生位置記憶装置へ保存するステップとを含む情報再生方法であることを要旨とする。
【００１２】
第３の特徴に係る情報再生方法によると、ユーザの視聴を妨げる要因が発生した場合に視聴が中断されても、中断されている間の映像・音声情報を損なうことなく、再びユーザが視聴可能状態となった場合に、ユーザが選択した中断位置からの映像・音声情報を視聴することができる。
【００１３】
本発明の第４の特徴は、放送受信装置から受信した圧縮ストリームを再生する装置に、（イ）デコーダ及び出力装置に電力を供給する手順と、（ロ）圧縮ストリーム蓄積装置に蓄積された圧縮ストリームのうち、最も古い圧縮ストリームから順に取り出し、デコーダに送出する手順と、（ハ）デコーダによりデコードされた視聴データを再生する手順と、（ニ）イベントが発生した場合は、イベントのイベント発生情報をイベント発生位置記憶装置へ保存する手順とを実行させるための情報再生プログラムであることを要旨とする。
【００１４】
本発明の第４の特徴に係る情報再生プログラムを読み出すことにより、情報再生装置等に上記の手順を実行させることが可能となる。
【００１５】
【発明の実施の形態】
次に、図面を参照して、本発明の実施の形態を説明する。以下の図面の記載において、同一又は類似の部分には同一又は類似の符号を付している。但し、図面は模式的なものであることに留意すべきである。
【００１６】
本発明に係る情報再生システムは、図１に示すように、放送受信装置３と情報再生装置１とを備える。
【００１７】
放送受信装置３は、デジタル放送などで提供される映像や音声などの放送データ３２を受信し、放送データ３２からデコード可能な形式の圧縮ストリーム３１を抽出する。そして、圧縮ストリーム３１を、順次、情報再生装置１のストリーム制御部１４に送信する。
【００１８】
情報再生装置１は、視聴を妨げるイベントを検知するイベント情報検知部１１と、イベント情報検知部１１から受信したイベント発生情報に基づき、ストリーム制御部１４、デコーダ１５及び出力装置１６を制御する動作制御部１２と、動作制御部１２から受信したイベント発生情報をイベント発生位置記憶装置２２に保存し、圧縮ストリーム３１を圧縮ストリーム蓄積装置２１に蓄積するストリーム制御部１４と、ストリーム制御部１４から受信した圧縮ストリーム３１を視聴データへデコードするデコーダ１５と、デコーダ１５から受信した視聴データを再生する出力装置１６を備える。更に、情報再生装置１は、イベント発生の時刻順又はイベントの種類毎に、イベント発生情報を並び替えたイベントインデックス情報を出力装置１６に表示するインデックス情報制御部１７と、選択されたイベントをインデックス情報制御部１７へ通知するイベント選択部１８とを備える。
【００１９】
イベント情報検知部１１が検知するイベントとしては、例えば、車両運転時における走行の開始などが相当する。走行開始の外部イベント信号としては、１）車両のシフトレバーのニュートラルもしくはパーキングモードからの開放、２）シフトブレーキの開放等が挙げられる。家庭内における外部イベント信号としては、例えば、１）電話の呼び出しベルの音、２）来客の呼び鈴の音、３）風呂等の沸き上り通知の警報機の作動等が挙げられる。イベント情報検知部１１は、上記のように、シフトレバーやシフトブレーキの状態、あるいは種々の音などを検知することができる。そして、イベントが発生したときに、動作制御部１２にイベントの種類やイベントの発生時刻などのイベント発生情報を通知する。
【００２０】
動作制御部１２は、デコーダ１５及び出力装置１６への電力供給を制御する電力供給制御部１２ａと、イベント情報検知部１１から受信したイベント発生情報を処理し、ストリーム制御部１４の制御を行う検知結果通知部１２ｂとを備える。
【００２１】
ストリーム制御部１４は、放送受信装置３から受信した圧縮ストリーム３１を圧縮ストリーム蓄積装置２１に保存する。又、イベントが発生したと判断された場合、イベントの種類やイベント発生時刻などのイベント発生情報をイベント発生位置記憶装置２２に保存する。又、インデックス情報制御部１７からのイベント発生情報に基づき、圧縮ストリーム蓄積装置２１から再生する圧縮ストリーム３１を取り出し、順次、デコーダ１５に送信する。ストリーム制御部１４は、動作制御部１２によって制御される。
【００２２】
デコーダ１５は、ストリーム制御部１４から受信した圧縮ストリーム３１をデコードし、視聴データとして出力装置１６へ送信する。
【００２３】
出力装置１６は、デコーダ１５から受信した視聴データ、具体的には、映像や音声等を再生する。又、インデックス情報制御部１７により、イベント発生位置記憶装置２２から得られる各イベント発生情報を表示する。出力装置１６は、モニタなどの画面を指し、液晶表示装置（ＬＣＤ）、発光ダイオード（ＬＥＤ）パネル、エレクトロルミネッセンス（ＥＬ）パネル等が使用可能である。入力装置１９は、キーボード、マウス等の機器を指す。入力装置１９から入力操作が行われると対応するキー情報がイベント選択部１８に伝達される。
【００２４】
インデックス情報制御部１７は、イベント発生位置記憶装置２２より得られる各イベント発生情報をイベント発生の時刻順やイベントの種類毎に並び替えられたイベントインデックス情報に変換した後、出力装置１６へ送信する。又、イベント選択部１８により選択されたイベントのイベント発生情報をストリーム制御部１４に送信する。
【００２５】
イベント選択部１８は、出力装置１６に表示されたイベントの中から、ユーザが選択したイベントをインデックス情報制御部１７へ通知する。このとき、ユーザは出力装置１６に表示されたイベントに触れることにより、イベントを選択しても構わないし、入力装置１９によりイベントを選択しても構わない。
【００２６】
圧縮ストリーム蓄積装置２１は、放送受信装置１３から受信した圧縮ストリーム３１を保存する。イベント発生位置記憶装置２２は、イベントが発生したと判断された場合、イベント発生情報を保存する。
【００２７】
本発明に係る情報再生装置１によると、ユーザの視聴を妨げる要因が発生した場合に視聴が中断されても、中断されている間の映像・音声情報を損なうことなく、再びユーザが視聴可能状態となった場合に、ユーザが選択した中断位置からの映像・音声情報を視聴することができる。
【００２８】
次に、図１のブロック図を参照しながら、図２のフローチャートに従い、ユーザの視聴を妨げる要因となるイベントを検知し、イベント発生情報を保存する方法を説明する。
【００２９】
（イ）まず、最初に、ストリーム制御部１４は、放送受信装置１３から圧縮ストリーム３１を受信し、一連の圧縮ストリームを受信し終わるまで、絶えず圧縮ストリーム蓄積装置２１に保存していることを前提とする。
【００３０】
（ロ）次に、ステップＳ１０１において、電力供給制御部１２ａは、デコーダ１５及び出力装置１６に電力を供給し、映像・音声等の視聴データを再生できる状態にする。次に、ステップＳ１０２において、ストリーム制御部１４は、圧縮ストリーム蓄積装置２１に蓄積された圧縮ストリーム３１のうち、最も古い圧縮ストリーム３１から順に取り出し、デコーダ１５に送出する。次に、ステップＳ１０３において、デコーダ１５は、圧縮ストリーム３１をデコードし、視聴データとする。そして、出力装置１６に送り、ステップＳ１０４において、出力装置１６はデータを再生する。
【００３１】
（ハ）次に、ステップＳ１０５において、イベント情報検知部１１が、外部イベント信号を検知することにより、イベントが発生したと判断する。例えば、車両走行時の外部イベント信号としては、車両走行車両のシフトレバーのニュートラルもしくはパーキングモードからの開放、シフトブレーキの開放等が挙げられる。家庭内における外部イベント信号としては、電話の呼び出しベルの音、来客の呼び鈴の音、風呂等の沸き上り通知の警報機の作動等が挙げられる。イベントが発生していない場合は、ステップＳ１０２に戻り、ステップＳ１０２〜Ｓ１０４を繰り返すことにより、視聴データの再生を続ける。イベントが発生した場合は、イベント情報検知部１１は、外部イベント信号を検知し、イベントの種類及びイベントの発生時間を含むイベント発生情報を検知結果通知部１２ｂに通知する。検知結果通知部１２ｂは、イベント発生情報をストリーム制御部１４に通知する。ステップＳ１０６において、イベント制御部１４は、イベント発生情報をイベント発生位置記憶装置２２へ蓄積する。
【００３２】
（ニ）次に、ステップＳ１０７において、イベント発生時に再生を停止するか否か判断する。イベント発生時に再生を停止するかどうかは、予めユーザにより設定しておくことが可能である。例えば、車両運転時では、ブレーキの解除というイベントにより再生を停止するように制御することが考えられる。家庭内等において、そのまま放送の再生を継続してもよい。再生を停止する場合は、ステップＳ１０８に進み、電力供給制御部１２ｂがデコーダ１５及び出力装置１６への電力供給を停止し、再生を停止する。再生を停止しない場合は、ステップＳ１０２に戻り、ステップＳ１０２〜Ｓ１０４を繰り返すことにより、視聴データの再生を続ける。
【００３３】
次に、図１及び図３を用いて、イベント発生箇所からデータを再生する方法について説明する。
【００３４】
（イ）ユーザがイベントへの対応を終え、映像・音声等を視聴できる状態となった場合、インデックス情報制御部１７は、イベント発生位置記憶装置２２より得られる各イベント発生情報を、イベント発生の時刻順やイベントの種類毎に並び替えられたイベントインデックス情報に変換した後、出力装置１６へ送出する。ステップＳ２０１において、出力装置１６は、イベントインデックス情報を表示する。イベントインデックス情報は、例えば、図４のように、イベントが発生した時刻順に並び替えて表示されても構わないし、図５のように、イベントの種類毎に並び替えて表示されても構わない。その他、ユーザが指定した形式に従って表示されても構わない。図４及び図５では、例えば電話の呼び出しベルといった第１のイベントが、１６時２３分、１６時５２分に発生し、来客の呼び鈴の音といった第２のイベントが、１６時２８分、１６時３１分に発生し、風呂等の沸き上がり通知の警報機の作動といった第３のイベントが１６時４６分に発生したことを示している。
【００３５】
（ロ）次に、ステップＳ２０２において、出力装置１６に表示されたイベントインデックス情報の中から、ユーザが視聴を希望する箇所の一つのイベントが選択される。選択方法としては、出力装置１６に表示されたイベントインデックス情報に触れることにより選択されても構わないし、キーボードやマウス等の入力装置１９により選択されても構わない。イベント選択部１８は、出力装置１６あるいは入力装置１９により選択されたイベントをインデックス情報制御部１７へ通知する。
【００３６】
（ハ）次に、ステップＳ２０３において、インデックス情報制御部１７は、ユーザが選択したイベントの発生時刻情報をイベント発生位置記憶装置２２から取得する。そして、ステップＳ２０４において、インデックス情報制御部１７は、イベント発生時刻情報をストリーム制御部１４に通知する。次に、ステップＳ２０５において、ストリーム制御部１４は、イベント発生時刻情報に基づき、イベント発生時刻からの圧縮ストリーム３１を圧縮ストリーム蓄積装置２１から抽出する。次に、ステップＳ２０６において、ストリーム制御部１４は、圧縮ストリーム３１をデコーダ１５に送出する。デコーダ１５によりデコードされた視聴データは出力装置１６によって再生される。これにより、イベントが発生した時刻からの視聴データが再生される。
【００３７】
本発明に係る情報再生方法によると、ユーザの視聴を妨げる要因が発生した場合に視聴が中断されても、中断されている間の映像・音声情報を損なうことなく、再びユーザが視聴可能状態となった場合に、ユーザが選択した中断位置からの映像・音声情報を視聴することができる。
【００３８】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００３９】
例えば、インデックス情報制御部１７は、イベント発生情報をストリーム制御部１４へ送信すると説明したが、デコーダ１５にもイベント発生情報を送信しても構わない。その際、デコーダ１５がデータの再生位置を把握できることとなる。
【００４０】
又、圧縮ストリーム蓄積装置２１とイベント発生位置記憶装置２２を分けて備えると記述したが、これらの装置を一つの装置で代用しても構わない。
【００４１】
このように、本発明はここでは記載していない様々な実施の形態等を含むことは勿論である。従って、本発明の技術的範囲は上記の説明から妥当な特許請求の範囲に係る発明特定事項によってのみ定められるものである。
【００４２】
【発明の効果】
本発明によると、ユーザの視聴を中断するイベントが発生した箇所から引き続き映像・音声等のデータを再生することができるだけでなく、複数のイベントがある場合はユーザがイベントを選択することにより、ユーザの所望する箇所からのデータを再生することができる情報再生装置、情報再生システム、情報再生方法及び情報再生プログラムを提供することができる。
【図面の簡単な説明】
【図１】本発明の実施の形態に係る情報再生システムの構成を示すブロック図である。
【図２】本発明の実施に形態に係る情報再生方法を示すフローチャートである（その１）。
【図３】本発明の実施に形態に係る情報再生方法を示すフローチャートである（その２）。
【図４】本発明の実施に形態に係るイベントインデックス情報の表示例である（その１）。
【図５】本発明の実施に形態に係るイベントインデックス情報の表示例である（その２）。
【符号の説明】
１　情報再生装置
３　放送受信装置
１１　イベント情報検知部
１２　動作制御部
１２ａ　電力供給制御部
１２ｂ　検知結果通知部
１４　ストリーム制御部
１５　デコーダ
１６　出力装置
１７　インデックス情報制御部
１８　イベント選択部
１９　入力装置
２１　圧縮ストリーム蓄積装置
２２　イベント発生位置記憶装置
３１　圧縮ストリーム
３２　放送データ
【図１】
2004112311.tif 000003
【図２】
2004112311.tif 000004
【図３】
2004112311.tif 000005
【図４】
2004112311.tif 000006
【図５】
2004112311.tif 000007